(57)【要約】【課題】煩雑な設定を必要とすることなく、記憶システム全体の消費電力を低減させる記憶システム及びその電源制御方法、ストレージ装置並びにデータ処理方法を提案する。【解決手段】ホスト装置がデータの読み書きを行う第１のボリュームの更新履歴情報であるジャーナルを作成し、作成したジャーナルを、ジャーナルの保存先として設定された第２のボリューム又は第１の外部記憶装置に順次保存し、この際、第２のボリューム又は第１の外部記憶装置におけるジャーナルの保存量に応じて、次のジャーナルの保存先である第２のボリュームを提供する記憶デバイス又は次のジャーナルの保存先である第１の外部記憶装置の電源制御を行うようにした。【選択図】図６
2007265002.tif 000002
【特許請求の範囲】
【請求項１】
上位装置としてのホスト装置と、前記ホスト装置に対してデータの読み書きを行うための第１のボリュームを提供するストレージ装置とを有する記憶システムにおいて、
前記ストレージ装置は、
前記第１のボリュームの更新履歴情報であるジャーナルを作成するジャーナル作成部と、
前記ジャーナル作成部により作成された前記ジャーナルを、前記ジャーナルの保存先として設定された第２のボリューム又は第１の外部記憶装置に順次保存するジャーナル保存部と
を備え、
前記ジャーナル保存部は、
前記第２のボリューム又は前記第１の外部記憶装置における前記ジャーナルの保存量に応じて、次の前記ジャーナルの保存先である第２のボリュームを提供する記憶デバイス又は次の前記ジャーナルの保存先である第１の外部記憶装置の電源制御を実行する
ことを特徴とする記憶システム。
【請求項２】
前記ジャーナル保存部は、
前記ジャーナルの保存先を次の前記第２のボリューム又は次の前記第１の外部記憶装置に切り替える切替え処理に応じて、前の前記ジャーナルの保存先である前記第２のボリューム又は前記第１の外部記憶装置の電源制御を実行する
ことを特徴とする請求項１に記載の記憶システム。
【請求項３】
前記ジャーナル保存部は、
前記第２のボリューム又は前記第１の外部記憶装置における前記ジャーナルの保存量が、当該第２のボリューム又は当該第１の外部記憶装置に対して予め設定された閾値を超えたときに、次の前記ジャーナルの保存先である前記第２のボリュームを提供する前記記憶デバイス又は次の前記ジャーナルの保存先である前記第１の外部記憶装置の電源制御を実行する
ことを特徴とする請求項１に記載の記憶システム
【請求項４】
前記ジャーナル保存部は、
前記第２のボリュームに保存された前記ジャーナルを第２の外部記憶装置に移動させる一方、前記ジャーナルの保存先を切り替える前記切替え処理に応じて、前記第２の外部記憶装置又は当該第２の外部記憶装置内に設けられた前記ジャーナルの移動先となる第３のボリュームを提供する記憶デバイスの電源を制御する
ことを特徴とする請求項２に記載の記憶システム。
【請求項５】
前記ジャーナル保存部は、
前記ジャーナルの保存先を次の前記第２のボリューム又は次の前記記憶装置に切り替える際に、前記第１のボリュームのデータイメージでなるスナップショットを作成し又は当該スナップショットの作成を指示する
ことを特徴とする請求項１に記載の記憶システム。
【請求項６】
上位装置としてのホスト装置と、前記ホスト装置に対してデータの読み書きを行うための第１のボリュームを提供するストレージ装置とを有する記憶システムの電源制御方法において、
前記第１のボリュームの更新履歴情報であるジャーナルを作成する第１のステップと、
作成した前記ジャーナルを、前記ジャーナルの保存先として設定された第２のボリューム又は第１の外部記憶装置に順次保存する第２のステップと
を備え、
前記第２のステップでは、
前記第２のボリューム又は前記第１の外部記憶装置における前記ジャーナルの保存量に応じて、次の前記ジャーナルの保存先である第２のボリュームを提供する記憶デバイス又は次の前記ジャーナルの保存先である第１の外部記憶装置の電源制御を実行する
ことを特徴とする電源制御方法。
【請求項７】
前記第２のステップでは、
前記ジャーナルの保存先を次の前記第２のボリューム又は次の前記第１の外部記憶装置に切り替える切替え処理に応じて、前の前記ジャーナルの保存先である前記第２のボリューム又は前記第１の外部記憶装置の電源制御を実行する
ことを特徴とする請求項６に記載の電源制御方法。
【請求項８】
前記第２のステップでは、
前記第２のボリューム又は前記第１の外部記憶装置における前記ジャーナルの保存量が、当該第２のボリューム又は当該第１の外部記憶装置に対して予め設定された閾値を超えたときに、次の前記ジャーナルの保存先である前記第２のボリュームを提供する前記記憶デバイス又は次の前記ジャーナルの保存先である前記第１の外部記憶装置の電源制御を実行する
ことを特徴とする請求項６に記載の電源制御方法。
【請求項９】
前記第２のステップでは、
前記第２のボリュームに保存された前記ジャーナルを第２の外部記憶装置に移動させる一方、前記ジャーナルの保存先を切り替える前記切替え処理に応じて、前記第２の外部記憶装置又は当該第２の外部記憶装置内に設けられた前記ジャーナルの移動先となる第３のボリュームを提供する記憶デバイスの電源を制御する
ことを特徴とする請求項７に記載の電源制御方法。
【請求項１０】
前記第２のステップでは、
前記ジャーナルの保存先を次の前記第２のボリューム又は次の前記記憶装置に切り替える際に、前記第１のボリュームのデータイメージでなるスナップショットを作成し又は当該スナップショットの作成を指示する
ことを特徴とする請求項１に記載の電源制御方法。
【請求項１１】
上位装置としてのホスト装置に対してデータの読み書きを行うための第１のボリュームを提供するストレージ装置において、
前記第１のボリュームの更新履歴情報であるジャーナルを作成するジャーナル作成部と、
前記ジャーナル作成部により作成された前記ジャーナルを、前記ジャーナルの保存先として設定された第２のボリューム又は第１の外部記憶装置に順次保存するジャーナル保存部と
を備え、
前記ジャーナル保存部は、
前記第２のボリューム又は前記第１の外部記憶装置における前記ジャーナルの保存量に応じて、次の前記ジャーナルの保存先である第２のボリュームを提供する記憶デバイス又は次の前記ジャーナルの保存先である第１の外部記憶装置の電源制御を実行する
ことを特徴とするストレージ装置。
【請求項１２】
前記ジャーナル保存部は、
前記ジャーナルの保存先を次の前記第２のボリューム又は次の前記第１の外部記憶装置に切り替える切替え処理に応じて、前の前記ジャーナルの保存先である前記第２のボリューム又は前記第１の外部記憶装置の電源制御を実行する
ことを特徴とする請求項１１に記載のストレージ装置。
【請求項１３】
前記ジャーナル保存部は、
前記第２のボリューム又は前記第１の外部記憶装置における前記ジャーナルの保存量が、当該第２のボリューム又は当該第１の外部記憶装置に対して予め設定された閾値を超えたときに、次の前記ジャーナルの保存先である前記第２のボリュームを提供する前記記憶デバイス又は次の前記ジャーナルの保存先である前記第１の外部記憶装置の電源制御を実行する
ことを特徴とする請求項１１に記載のストレージ装置。
【請求項１４】
前記ジャーナル保存部は、
前記第２のボリュームに保存された前記ジャーナルを第２の外部記憶装置に移動させる一方、前記ジャーナルの保存先を切り替える前記切替え処理に応じて、前記第２の外部記憶装置又は当該第２の外部記憶装置内に設けられた前記ジャーナルの移動先となる第３のボリュームを提供する記憶デバイスの電源を制御する
ことを特徴とする請求項１２に記載のストレージ装置。
【請求項１５】
前記ジャーナル保存部は、
前記ジャーナルの保存先を次の前記第２のボリューム又は次の前記記憶装置に切り替える際に、前記第１のボリュームのデータイメージでなるスナップショットを作成し又は当該スナップショットの作成を指示する
ことを特徴とする請求項１１に記載のストレージ装置。
【請求項１６】
上位装置としてのホスト装置と前記ホスト装置に対してデータの読み書きを行うための第１のボリュームを提供するストレージ装置とを有する記憶システムにおけるデータ処理方法において、
前記第１のボリュームの更新履歴であるジャーナルを作成する第１のステップと、
作成した前記ジャーナルを、前記ジャーナルの保存先として設定された第２のボリューム又は第１の外部記憶装置に順次保存する第２のステップと
を備え、
前記第２のステップでは、
前記ジャーナルの保存先を次の前記第２のボリューム又は次の前記第１の外部記憶装置に切り替える切替処理に応じて、前記第２のボリュームに保存された前記ジャーナルを第３のボリューム又は第２の外部記憶装置に移動させる
ことを特徴とするデータ処理方法。
【請求項１７】
上位装置としてのホスト装置と、前記ホスト装置に対してデータの読み書きを行うための第１のボリュームを提供するストレージ装置とを有する記憶システムにおいて、
前記ストレージ装置は、
前記第１のボリュームの更新履歴情報であるジャーナルを作成するジャーナル作成部と、
前記ジャーナル作成部により作成された前記ジャーナルを、前記ジャーナルの保存先として設定された第２のボリューム又は外部記憶装置に順次保存するジャーナル保存部と
を備え、
前記ジャーナル保存部は、
前記ジャーナルの保存先を次の前記第２のボリューム又は次の前記外部記憶装置に切り替える際に、前記第１のボリュームのデータイメージでなるスナップショットを作成し又は当該スナップショットの作成を指示する
ことを特徴とする記憶システム。
【請求項１８】
上位装置としてのホスト装置と、前記ホスト装置に対してデータの読み書きを行うための第１のボリュームを提供するストレージ装置とを有する記憶システムにおいて、
前記ストレージ装置は、
前記第１のボリュームの更新履歴情報であるジャーナルを作成するジャーナル作成部と、
前記ジャーナル作成部により作成された前記ジャーナルを、前記ジャーナルの保存先として設定された第２のボリューム又は外部記憶装置に順次保存するジャーナル保存部と
を備え、
前記ジャーナル保存部は、
前記ジャーナルの保存量が、当該第２のボリューム又は当該第１の外部記憶装置に対して予め設定された閾値を超えたときに、前記第１のボリュームのデータイメージでなるスナップショットを作成し又は当該スナップショットの作成を指示する
ことを特徴とする記憶システム。
【発明の詳細な説明】
【技術分野】
【０００１】
本発明は、記憶システム及びその電源制御方法、ストレージ装置並びにデータ処理方法に関し、例えばデータの更新履歴を利用して、任意の時点のデータをリカバリし得るようになされた記憶システムに適用して好適なものである。
【背景技術】
【０００２】
近年、ジャーナルと呼ばれるデータの更新履歴を利用して、任意時点のデータをリカバリ（回復）可能とするデータ保護技術が注目されている。
【０００３】
このデータ保護技術では、任意時点のデータをリカバリ可能とするために、すべてのジャーナルを保存しておくことが必要であり、この結果ジャーナルの保存量は継続的に増加していくこととなる。
【０００４】
ジャーナルは、記憶デバイスに保存された後、データのリカバリに利用されるまでアクセスされることが一般的に少ない。しかしながら、ジャーナルを格納する記憶デバイスは、取得したジャーナルをいつでも格納できるようにするために常に稼動状態にしているのが現状である。
【０００５】
今後、保護対象となるデータの増加に伴い、ジャーナルの蓄積量も増加していくことが予想されるため、アクセスの少ないジャーナルの保有コストを低減する手段が必要以上に必要となってくるものと思われる。
【０００６】
かかる状況のもと、下記特許文献１には、一定時間（「節電待ち時間」）アクセスのないＲＡＩＤ（Redundant Array of Inexpensive Disks）に属する磁気ディスク装置の電源をオフさせ又は節電モードに移行させることにより、ディスクアレイ装置全体としての消費電力を抑える技術が開示されている。
【特許文献１】特開２０００−２９３３１４号公報
【発明の開示】
【発明が解決しようとする課題】
【０００７】
ところが、かかる特許文献１に開示された技術によると、システム管理者が適切な「節電待ち時間」を設定する必要がある。実際上、「節電待ち時間」が長すぎるとアクセス要求がない場合も稼動し続けるために消費電力抑制の効果が減少する一方、「節電待ち時間」が短すぎると頻繁に磁気ディスク装置が電源オフし又は節電モードに移行することになる。この場合において、磁気ディスク装置は、一旦、電源がオフし又は節電モードになると、アクセス可能な状態に戻るために数秒〜数十秒を要する。そのため頻繁に磁気ストレージ装置が電源オフし又は節電モードに移行すると、上位アプリケーションや業務への影響が懸念される。
【０００８】
また、かかる特許文献１に開示された技術によると、「節電待ち時間」の間はアクセスがなくても磁気ディスク装置が稼動し続けるため、その間の電力を抑えることはできない。
【０００９】
本発明は以上の点を考慮してなされたもので、煩雑な設定を必要とすることなく、記憶システム全体としての消費電力を低減させ得る記憶システム及びその電源制御方法、ストレージ装置並びにデータ処理方法を提案しようとするものである。
【課題を解決するための手段】
【００１０】
かかる課題を解決するため本発明においては、上位装置としてのホスト装置と、前記ホスト装置に対してデータの読み書きを行うための第１のボリュームを提供するストレージ装置とを有する記憶システムにおいて、前記ストレージ装置は、前記第１のボリュームの更新履歴情報であるジャーナルを作成するジャーナル作成部と、前記ジャーナル作成部により作成された前記ジャーナルを、前記ジャーナルの保存先として設定された第２のボリューム又は第１の外部記憶装置に順次保存するジャーナル保存部とを備え、前記ジャーナル保存部は、前記第２のボリューム又は前記第１の外部記憶装置における前記ジャーナルの保存量に応じて、次の前記ジャーナルの保存先である第２のボリュームを提供する記憶デバイス又は次の前記ジャーナルの保存先である第１の外部記憶装置の電源制御を実行するようにした。
【００１１】
この結果、この記憶システムでは、第２のボリューム又は第１の外部記憶装置におけるジャーナルの保存量に応じて次のジャーナルの保存先である第２のボリュームを提供する記憶デバイス又は第１の外部記憶装置の電源が制御されるため、必要なときにのみ当該記憶デバイス又は当該第１の外部記憶装置を駆動させることができる。
【００１２】
また本発明においては、上位装置としてのホスト装置と、前記ホスト装置に対してデータの読み書きを行うための第１のボリュームを提供するストレージ装置とを有する記憶システムの電源制御方法において、前記第１のボリュームの更新履歴情報であるジャーナルを作成する第１のステップと、作成した前記ジャーナルを、前記ジャーナルの保存先として設定された第２のボリューム又は第１の外部記憶装置に順次保存する第２のステップと  を備え、前記第２のステップでは、前記第２のボリューム又は前記第１の外部記憶装置における前記ジャーナルの保存量に応じて、次の前記ジャーナルの保存先である第２のボリュームを提供する記憶デバイス又は次の前記ジャーナルの保存先である第１の外部記憶装置の電源制御を実行するようにした。
【００１３】
この結果、この電源制御方法によれば、第２のボリューム又は第１の外部記憶装置におけるジャーナルの保存量に応じて次のジャーナルの保存先である第２のボリュームを提供する記憶デバイス又は第１の外部記憶装置の電源が制御されるため、必要なときにのみ当該記憶デバイス又は当該第１の外部記憶装置を駆動させることができる。
【００１４】
さらに本発明においては、上位装置としてのホスト装置に対してデータの読み書きを行うための第１のボリュームを提供するストレージ装置において、前記第１のボリュームの更新履歴情報であるジャーナルを作成するジャーナル作成部と、前記ジャーナル作成部により作成された前記ジャーナルを、前記ジャーナルの保存先として設定された第２のボリューム又は第１の外部記憶装置に順次保存するジャーナル保存部とを備え、前記ジャーナル保存部は、前記第２のボリューム又は前記第１の外部記憶装置における前記ジャーナルの保存量に応じて、次の前記ジャーナルの保存先である第２のボリュームを提供する記憶デバイス又は次の前記ジャーナルの保存先である第１の外部記憶装置の電源制御を実行するようにした。
【００１５】
この結果、このストレージ装置では、第２のボリューム又は第１の外部記憶装置におけるジャーナルの保存量に応じて次のジャーナルの保存先である第２のボリュームを提供する記憶デバイス又は第１の外部記憶装置の電源が制御されるため、必要なときにのみ当該記憶デバイス又は当該第１の外部記憶装置を駆動させることができる。
【００１６】
さらに本発明においては、上位装置としてのホスト装置と前記ホスト装置に対してデータの読み書きを行うための第１のボリュームを提供するストレージ装置とを有する記憶システムにおけるデータ処理方法において、前記第１のボリュームの更新履歴であるジャーナルを作成する第１のステップと、作成した前記ジャーナルを、前記ジャーナルの保存先として設定された第２のボリューム又は第１の外部記憶装置に順次保存する第２のステップとを備え、前記第２のステップでは、前記ジャーナルの保存先を次の前記第２のボリューム又は次の前記第１の外部記憶装置に切り替える切替処理に応じて、前記第２のボリュームに保存された前記ジャーナルを第３のボリューム又は第２の外部記憶装置に移動させることを特徴とする。
【００１７】
この結果、このデータ処理方法によれば、ジャーナルの保存先を切り替えるタイミングで、第２のボリュームに保存されたジャーナルを第３のボリューム又は第２の外部記憶装置に移動させることができる。
【００１８】
さらに本発明においては、上位装置としてのホスト装置と、前記ホスト装置に対してデータの読み書きを行うための第１のボリュームを提供するストレージ装置とを有する記憶システムにおいて、前記ストレージ装置は、前記第１のボリュームの更新履歴情報であるジャーナルを作成するジャーナル作成部と、前記ジャーナル作成部により作成された前記ジャーナルを、前記ジャーナルの保存先として設定された第２のボリューム又は外部記憶装置に順次保存するジャーナル保存部とを備え、前記ジャーナル保存部は、前記ジャーナルの保存先を次の前記第２のボリューム又は次の前記外部記憶装置に切り替える際に、前記第１のボリュームのデータイメージでなるスナップショットを作成し又は当該スナップショットの作成を指示することを特徴とする。
【００１９】
この結果、この記憶システムにおいては、ジャーナルの保存先を切り替えるタイミングで第１のボリュームのスナップショットを得ることができる。
【００２０】
さらに本発明においては、上位装置としてのホスト装置と、前記ホスト装置に対してデータの読み書きを行うための第１のボリュームを提供するストレージ装置とを有する記憶システムにおいて、前記ストレージ装置は、前記第１のボリュームの更新履歴情報であるジャーナルを作成するジャーナル作成部と、前記ジャーナル作成部により作成された前記ジャーナルを、前記ジャーナルの保存先として設定された第２のボリューム又は外部記憶装置に順次保存するジャーナル保存部とを備え、前記ジャーナル保存部は、前記ジャーナルの保存量が、当該第２のボリューム又は当該第１の外部記憶装置に対して予め設定された閾値を超えたときに、前記第１のボリュームのデータイメージでなるスナップショットを作成し又は当該スナップショットの作成を指示することを特徴とする。
【００２１】
この結果、この記憶システムにおいては、ジャーナルの保存量が、第２のボリューム又は第１の外部記憶装置に対して予め設定された閾値を超えたタイミングで第１のボリュームスナップショットを得ることができる。
【発明の効果】
【００２２】
本発明によれば、必要なときにのみ当該記憶デバイス又は当該第１の外部記憶装置を駆動させることができるため、煩雑な設定を必要とすることなく、記憶システム全体の消費電力を低減させることができる。
【発明を実施するための最良の形態】
【００２３】
以下図面について、本発明の一実施の形態を詳述する。
【００２４】
（１）第１の実施の形態
（１−１）本実施の形態による記憶システムの構成
図１において、１は全体として本実施の形態による記憶システムを示す。この記憶システムは、サーバ装置２がネットワーク３を介してストレージ装置４と接続されると共に、当該ネットワーク３に管理端末５が接続されることにより構成されている。
【００２５】
サーバ装置２は、ＣＰＵ（Central Processing Unit）やメモリ等の情報処理資源を備えたコンピュータ装置であり、例えばパーソナルコンピュータや、ワークステーション、メインフレームなどから構成される。またサーバ装置２は、キーボード、スイッチやポインティングデバイス、マイクロフォン等の情報入力装置（図示せず）と、モニタディスプレイやスピーカ等の情報出力装置（図示せず）とを備える。
【００２６】
ネットワーク３は、例えばＳＡＮ（Storage Area Network）、ＬＡＮ（Local Area Network）、インターネット、公衆回線又は専用回線などから構成される。このネットワーク３を介したサーバ装置２及びストレージ装置４間の通信は、例えばネットワーク３がＳＡＮである場合にはファイバーチャネルプロトコルに従って行われ、ネットワーク３がＬＡＮである場合にはＴＣＰ／ＩＰ（Transmission Control Protocol/Internet Protocol）プロトコルに従って行われる。
【００２７】
ストレージ装置４は、複数のディスクデバイス１０からなるディスクデバイス部１１と、各ディスクデバイス１０を制御するコントローラ１２とを備えて構成される。
【００２８】
ディスクデバイス１０は、例えばＦＣ（Fibre Channel）ディスク等の高価なディスクドライブ、又はＦＡＴＡ（Fibre Attached Technology Adapted）ディスク及びＳＡＴＡ（Serial AT Attachment）ディスクや光ディスクドライブ等の安価なディスクドライブから構成される。１又は複数のディスクデバイス１０が提供する記憶領域上に１又は複数の論理的なボリューム（以下、これを論理ボリュームと呼ぶ）ＶＯＬが定義される。そして、この論理ボリュームＶＯＬにサーバ装置２からのデータが所定大きさのブロックを単位として読み書きされる。
【００２９】
各論理ボリュームＶＯＬには、それぞれ固有の識別子（ＬＵＮ：Logical Unit Number）が割り当てられる。本実施の形態の場合、ユーザデータの入出力は、この識別子と、各ブロックにそれぞれ割り当てられるそのブロックに固有の番号（ＬＢＡ：Logical Block Address）との組み合わせたものをアドレスとして、当該アドレスを指定して行われる。
【００３０】
ストレージ装置４内に作成される論理ボリュームＶＯＬの属性としては、システムボリューム、業務ボリューム、バックアップボリューム及びジャーナルボリュームなどがある。
【００３１】
このうちシステムボリュームは、主にストレージ装置４全体の構成に関するシステム構成情報などの制御情報や各種制御プログラム等を保持するために用いられる。また業務ボリュームは、サーバ装置２がユーザデータを読み書きするために用いられる。さらにバックアップボリュームは、後述のようにデータ保護のためにある時点の業務ボリュームの全データをコピーするのに用いられ、ジャーナルボリュームは、後述のジャーナルを保存するために用いられる。
【００３２】
コントローラ１２は、複数のチャネルアダプタ１３、接続部１４、共有メモリ１５、キャッシュメモリ１６及び複数のディスクアダプタ１７を備えて構成される。
【００３３】
各チャネルアダプタ１３は、それぞれマイクロプロセッサ、メモリ及び通信インタフェース等を備えたマイクロコンピュータシステムとして構成されており、それぞれネットワーク３に接続するためのポートを備える。チャネルアダプタ１３は、サーバ装置２から送信される各種コマンドを解釈して、必要な処理を実行する。各チャネルアダプタ１３のポートには、それぞれを識別するためのネットワークアドレス（例えば、ＩＰアドレスやＷＷＮ）が割り当てられており、これにより各チャネルアダプタ１３がそれぞれ個別にストレージ装置として振る舞うことができるようになされている。
【００３４】
接続部１４は、チャネルアダプタ１３、共有メモリ１５、キャッシュメモリ１６及びディスクアダプタ１７と接続されている。チャネルアダプタ１３、共有メモリ１５、キャッシュメモリ１６及びディスクアダプタ１７間のデータやコマンドの授受は、この接続部１４を介して行われる。接続部１４は、例えば高速スイッチングによりデータ伝送を行う超高速クロスバススイッチなどのスイッチ又はバス等で構成される。
【００３５】
共有メモリ１５は、チャネルアダプタ１３及びディスクアダプタ１７により共有される記憶メモリである。共有メモリ１５は、主にストレージ装置４の電源投入時にシステムボリュームから読み出されたシステム構成情報及び各種制御プログラムや、サーバ装置２からのコマンドなどを記憶するために利用される。後述のジャーナルボリューム管理テーブル１８やデータ保護プログラム１９もこの共有メモリ１５に格納される。
【００３６】
キャッシュメモリ１６も、チャネルアダプタ１３及びディスクアダプタ１７により共有される記憶メモリである。このキャッシュメモリ１６は、主にストレージ装置４に入出力するユーザデータを一時的に記憶するために利用される。
【００３７】
各ディスクアダプタ１７は、マイクロプロセッサやメモリ等を備えたマイクロコンピュータシステムとして構成され、各ディスクデバイス１０との通信時におけるプロトコル制御を行うインタフェースとして機能する。これらディスクアダプタ１７は、例えばファイバーチャネルケーブルを介して対応するディスクデバイス１０と接続されており、ファイバーチャネルプロトコルに従ってこれらディスクデバイス１０との間のデータの授受を行う。
【００３８】
管理装置５は、サーバ装置２と同様に、ＣＰＵやメモリ等の情報処理資源を備えたコンピュータ装置であり、例えばパーソナルコンピュータ、ワークステーション又は携帯情報端末などから構成される。管理装置５は、ストレージ装置４に対して各種設定を行うためのＧＵＩ（Graphical User Interface）や各種情報を表示する表示装置と、システム管理者が各種操作や各種設定入力を行うためのキーボードやマウス等の入力装置とを備える。そして管理装置５は、入力装置を介して入力された各種指令に基づいて各種処理を実行する。
【００３９】
（１−２）本実施の形態の記憶システムにおける電源制御機能
（１−２−１）記憶システムに採用されたデータ保護方式
まず、本実施の形態による記憶システム１に採用されたＣＤＰ（Continuous Date Protection）方式と呼ばれるデータ保護方式について説明する。
【００４０】
記憶システム１では、図２（Ａ）及び図２（Ｂ）に示すように、まず、ストレージ装置４内の業務ボリュームＰＶＯＬの全データをバックアップボリュームＳＶＯＬにコピーするフルボリュームコピーをあるタイミングで行い、その後業務ボリュームＰＶＯＬに対してサーバ装置２からユーザデータの書き込みが発生するごとに、そのユーザデータと、当該ユーザデータが書き込まれた業務ボリュームＰＶＯＬ上のアドレス及び時刻などの管理情報とからなるジャーナルを、上位ストレージ装置又は下位ストレージ装置内に設定されたジャーナルボリュームＪＮＬＶＯＬ（ＪＮＬＶＯＬ１，ＪＮＬＶＯＬ２，ＪＮＬＶＯＬ３，……）に保存する。
【００４１】
かくして、この記憶システム１では、バックアップボリュームＳＶＯＬに格納されたある時点の業務ボリュームＰＶＯＬのフルボリュームコピーを用いて、例えばジャーナルボリュームに保存されたジャーナルに含まれるユーザデータを古いものから順番に、かかる業務ボリュームのフルボリュームコピーに所望時点のユーザデータを順次上書きすることで、当該時点の業務ボリュームＰＶＯＬを回復することができる。
【００４２】
（１−２−２）ボリューム管理テーブル及びデータ保護プログラム
次に、本実施の形態による記憶システム１に採用された電源制御機能について説明する。
【００４３】
この記憶システム１では、ジャーナルボリュームに保存されるジャーナルの保存量に応じて必要なディスクデバイス１０の電源制御を行う電源制御機能が搭載されている。
【００４４】
実際上、この記憶システム１の場合、図５（Ａ）に示すように、ストレージ装置４内の業務ボリュームの更新履歴を表すジャーナルをストレージ装置４内に設けられた１つのジャーナルボリューム（以下、これをジャーナル保存先ボリュームと呼ぶ）に順次保存する一方、このジャーナル保存先ボリュームにおけるジャーナルの保存量が当該ジャーナルボリュームについて定められた閾値に達した段階で、図５（Ｂ）に示すように、次のジャーナル保存先ボリュームに定められているジャーナルボリュームを提供するディスクデバイス１０の電源をオンする。
【００４５】
また、記憶システム１では、この後図５（Ｃ）に示すように、現在のジャーナル保存先ボリュームにこれ以上ジャーナルを保存できなくなった段階で、ジャーナルの保存先を次のジャーナル保存先ボリュームに切り替える一方、これと併せて前のジャーナル保存先ボリュームを提供するディスクデバイス１０の電源をオフさせる。
【００４６】
そしてこの記憶システム１では、このようなディスクデバイス１０の電源制御を行うことで、システム全体としての消費電力を低減させ得るようになされている。
【００４７】
このような電源制御を行うための手段として、ストレージ装置４の共有メモリ１５（図１）には、ジャーナルボリューム管理テーブル１８及びデータ保護プログラム１９が格納されている。
【００４８】
ジャーナルボリューム管理テーブル１８は、ストレージ装置４内に設定されたジャーナルボリュームを管理するためのテーブルである。このボリューム管理テーブル１８は、図３に示すように、エントリ番号フィールド（『♯』）１８Ａ、ストレージ識別情報フィールド（『ストレージ装置』）１８Ｂ、ボリューム識別情報フィールド（『ＬＵ♯』）１８Ｃ、ボリューム容量フィールド（『ＬＵ容量』）１８Ｄ、ジャーナル保存量フィールド（『ＪＮＬ保存量』）１８Ｅ、閾値フィールド（『閾値』）１８Ｆ、最初ジャーナル識別情報フィールド（『ＪＮＬ識別情報（最初）』）１８Ｇ、最終ジャーナル識別情報フィールド（『ＪＮＬ識別情報（最後）』）１８Ｈ、ステータス情報フィールド（『ステータス情報』）１８Ｉ及びスナップショット情報フィールド（『スナップショット取得情報』）１８Ｊから構成される。
【００４９】
このうちエントリ番号フィールド１８Ａには、対応するジャーナルボリュームのジャーナルボリューム管理テーブル１８へのエントリ番号が格納される。またストレージ識別情報フィールド１８Ｃには、そのジャーナルボリュームの識別番号（例えばＬＵＮ）が格納され、ボリューム容量フィールド１８Ｄには、そのジャーナルボリュームの容量が格納される。
【００５０】
さらにジャーナル保存量フィールド１８Ｅには、そのジャーナルボリュームにおける現在のジャーナルの保存量が格納され、閾値フィールド１８Ｆには、後述のようにそのジャーナルボリュームについて予めシステム管理者が設定した閾値が格納される。さらに最初ジャーナル識別情報フィールド１８Ｇには、そのジャーナルボリュームに最初に格納されたジャーナルの作成時刻及び識別情報が格納され、最後ジャーナル識別情報フィールド１８Ｈには、そのジャーナルボリュームに最後に格納されたジャーナルの作成時刻及び識別情報が格納される。
【００５１】
ステータス情報フィールド１８Ｉには、そのジャーナルボリュームを提供するディスクデバイス１０の電源状態（オン又はオフ）を表すステータス情報が格納される。またスナップショット情報フィールド１８Ｊには、そのジャーナルボリュームのスナップショットを取得済みであるか否かの情報が格納される。
【００５２】
一方、データ保護プログラム１９は、図４に示すように、ジャーナル作成プログラム１９Ａ、ジャーナル保存プログラム１９Ｂ及びデータイメージ提供プログラム１９Ｃから構成されている。
【００５３】
このうちジャーナル作成プログラム１９Ａは、ジャーナルを作成するためのプログラムである。ストレージ装置４のチャネルアダプタ１３は、サーバ装置２から書込み対象のユーザデータ及びそのデータ書込み要求が与えられると、このユーザデータを業務ボリュームに書き込む一方、ジャーナル作成プログラム１９Ａに従って、このユーザデータと、当該ユーザデータの管理情報とからなるジャーナルを作成する。
【００５４】
またジャーナル保存プログラム１９Ｂは、作成したジャーナルのジャーナルボリュームへの書き込み、各ジャーナルボリュームにおけるジャーナルの保存量及び閾値の管理、後述のようなジャーナル作成プログラム１９Ａに対するスナップショットの作成指示並びにジャーナルの保存先候補となるジャーナルボリュームの管理などのジャーナルの保存制御処理と、ジャーナルデータの保存先となるジャーナルボリュームを提供するディスクデバイス１０の電源制御処理とを行うためのプログラムである。ストレージ装置４のチャネルアダプタ１３は、必要時、このジャーナル保存プログラム１９Ｂに従って、ジャーナルの保存制御処理及び必要なディスクデバイス１０の電源制御処理を実行する。
【００５５】
さらにジャーナルイメージ提供プログラム１９Ｃは、指定された時点の業務ボリュームのデータイメージを作成してユーザに提供するためのプログラムである。ストレージ装置４のチャネルアダプタ１３は、このジャーナルイメージ提供プログラム１９Ｃに基づいて、ジャーナルボリュームに保存したジャーナルを用いて、例えばシステム管理者により指定された時刻の業務ボリュームのデータイメージを作成してユーザに提供すると共に、これに際して必要なディスクデバイス１０の電源制御処理を実行する。
【００５６】
（１−２−３）ジャーナル作成及び保存処理
図６は、かかる記憶システム１におけるジャーナルの作成及び保存処理に関するストレージ装置４内のチャネルアダプタ１３の処理内容を示すフローチャートである。この図６において、左側の破線で囲まれた部分の処理は、ジャーナル作成プログラム１９Ａに基づいて行われ、右側の破線で囲まれた部分の処理は、ジャーナル保存プログラム１９Ｂに基づいて行われる。
【００５７】
かかるチャネルアダプタ１３は、初期時、ジャーナル保存先ボリュームとするジャーナルボリュームを１つ選定する（ＳＰ１）。この場合のジャーナル保存先ボリュームの選定方法としては、例えばジャーナルボリューム管理テーブル１８に登録されたジャーナルボリュームのうち、エントリ番号が最も小さいジャーナルボリュームを選択する方法を適用することができる。
【００５８】
そしてチャネルアダプタ１３は、ディスクアダプタ１７を介して必要なディスクアダプタ１０を制御することにより、ジャーナル保存先ボリュームとして選択したジャーナルボリューム以外のジャーナルボリュームを提供する各ディスクデバイス１０の電源をオフさせる（ＳＰ２）。
【００５９】
続いてチャネルアダプタ１３は、業務ボリュームが更新されるのを待ち受け（ＳＰ３）、やがてサーバ装置２からのユーザデータが業務ボリュームに書き込まれると、これに応じたジャーナルを作成する（ＳＰ４）。そしてチャネルアダプタ１３は、この後、作成したジャーナルをジャーナル保存先ボリュームに保存すべき指示（以下、これをジャーナル保存指示と呼ぶ）をジャーナル保存プログラム５に指示を与える（ＳＰ５）。
【００６０】
チャネルアダプタ１３は、かかるジャーナル作成プログラム１９Ａからのジャーナル保存指示を受領すると（ＳＰ６）、ジャーナルボリューム管理テーブル１８を参照して、現在のジャーナル保存先ボリュームに、かかるジャーナルのデータを保存するだけの容量が残存するか否かを判断する（ＳＰ７）。
【００６１】
そしてチャネルアダプタ１３は、この判断において肯定結果を得ると、ディスクアダプタ１７を介して対応するディスクデバイス１０を制御することにより、かかるジャーナルをジャーナル保存先ボリュームに格納させる（ＳＰ１２）。
【００６２】
続いて、チャネルアダプタ１３は、ステップＳＰ１３における処理に応じてジャーナルボリューム管理テーブル１８における「ジャーナル保存量」フィールド１８Ｅ（図３）を更新すると共に（ＳＰ１３）、この後、このジャーナルボリューム管理テーブル１８を参照して、そのジャーナル保存先ボリュームに保存されたジャーナルの量が当該ジャーナル保存先ボリュームについて予め設定された閾値よりも小さいか否かを判断する（ＳＰ１４）。
【００６３】
チャネルアダプタ１３は、この判断において肯定結果を得ると、ジャーナル作成プログラム１９Ａに対してジャーナルの保存が完了した旨の報告であるジャーナル保存完了報告を発行する（ＳＰ１９）。そしてチャネルアダプタ１３は、このジャーナル保存プログラム１９Ｂからのジャーナル保存完了報告を受領すると（ＳＰ２０）、このジャーナル作成及び保存処理を終了する。
【００６４】
これに対して、チャネルアダプタ１３は、ステップＳＰ１４の判断において否定結果を得ると、次のジャーナル保存先ボリュームとなるジャーナルボリュームを選択する（ＳＰ１５）。この場合のジャーナル保存先ボリュームの選定方法も、ジャーナルボリューム管理テーブル１８に登録されたジャーナルボリュームの中からエントリ番号の小さい順に選択する方法を適用することができる。
【００６５】
そして、チャネルアダプタ１３は、ジャーナルボリューム管理テーブル１８の対応する「ステータス情報」フィールド１８Ｉを参照して、ステップＳＰ１５において選択したジャーナルボリュームを提供するディスクデバイス１０がオンされているか否かを判断する（ＳＰ１６）。そしてチャネルアダプタ１３は、この判断において肯定結果を得ると、ジャーナル作成プログラム１９Ａに対してジャーナル保存完了報告を発行する（ＳＰ１９）。
【００６６】
これに対してチャネルアダプタ１３は、ステップＳＰ１６の判断において否定結果を得ると、ディスクアダプタ１７に対してかかるディスクデバイス１０の電源をオンさせるべき旨の指示（以下、これを電源オン指示と呼ぶ）を与える（ＳＰ１７）。
【００６７】
この後、チャネルアダプタ１３は、かかる電源オン指示に対するディスクアダプタ１７からの応答に基づいて、かかるディスクデバイス１０の電源がオンとなったか否かを判断し（ＳＰ１８）する。
【００６８】
そしてチャネルアダプタ１３は、この判断において肯定結果を得ると、ジャーナルボリューム管理テーブル１８の対応する「ステータス情報」フィールド１８Ｉに格納されたステータス情報を、対応するディスクデバイス１０の電源がオン状態であることを表す「Ready」に更新し、この後、ジャーナル作成プログラムに対してジャーナル保存完了報告を発行する（ＳＰ１９）。
【００６９】
これに対してチャネルアダプタ１３は、かかるステップＳＰ１８において否定結果を得ると、ステップＳＰ１５に戻り、この後対象とするジャーナルボリュームを順次切り替えながら、次のジャーナル保存先ボリュームとなり得るいずれかのジャーナルボリュームを提供するディスクデバイス１０の電源がオンとなるまで、同様の処理を繰り返す（ＳＰ１６〜ＳＰ１８−ＳＰ１６）。
【００７０】
一方、チャネルアダプタ１３は、ステップＳＰ７の判断において否定結果を得た場合、例えば共有メモリ１５に保存される障害情報及びジャーナルボリューム管理テーブル１８に基づいて、ジャーナルの保存先を、事前に行われたステップＳＰ１４〜ステップＳＰ１９の処理において対応するディスクデバイス１０の電源をオンさせた次のジャーナル保存先ボリュームに切り替えられる状態にあるか否かを判断する（ＳＰ８）。
【００７１】
ここで、この判断において否定結果を得ることは、かかる次のジャーナル保存先ボリュームとして選択したジャーナルボリュームに障害が発生していてジャーナルを保存できる状況にないか、又は次のジャーナル保存先ボリュームとなり得るジャーナルボリュームが存在しないことを意味する。かくして、このときチャネルアダプタ１３は、その旨の警告情報を管理装置５に通知し（ＳＰ９）、この後このジャーナル作成及び保存処理を終了する。
【００７２】
これに対して、かかるステップＳＰ８の判断において肯定結果を得ることは、かかる次にジャーナル保存先ボリュームとなり得るジャーナルボリュームがジャーナルを保存できる状況にあることを意味する。かくして、このときチャネルアダプタ１３は、ジャーナルの保存先を次のジャーナル保存先ボリュームとして選択したジャーナルボリュームに切り替える（ＳＰ１０）。
【００７３】
またチャネルアダプタ１３は、この後それまでジャーナル保存先ボリュームとして用いていたジャーナルボリュームを提供するディスクデバイス１０の電源をオフすべき旨の電源オフ指示をディスクアダプタ１７に与える（ＳＰ１１）。さらにチャネルアダプタ１３は、この後、ジャーナルボリューム管理テーブル１８の対応する「ステータス情報」フィールド１８Ｉに格納されたステータス情報を、対応するディスクデバイス１０の電源がオフ状態であることを表す「Not Ready」に更新する（ＳＰ１１）。
【００７４】
そしてチャネルアダプタ１３は、この後、ディスクアダプタ１７を介して対応するディスクデバイス１０を制御することにより、ステップＳＰ４において作成したジャーナルを新たなジャーナル保存先ボリュームに格納させる（ＳＰ１２）。またチャネルアダプタ１３は、この後ステップＳＰ１４〜ステップＳＰ２０までを上述と同様に処理し、その後このジャーナル作成及び保存処理を終了する。
【００７５】
（１−２−４）データ回復処理
図７は、データ回復処理に関するストレージ装置４のチャネルアダプタ１３の処理内容を示すフローチャートである。チャネルアダプタ１３は、システム管理者の操作に応じて回復時点の時刻を指定したボリューム回復要求が管理装置５から与えられると、共有メモリ１５に格納されたデータ保護プログラム１９を構成するデータイメージ提供プログラム１９Ｃに従って、このデータ回復処理を実行する。
【００７６】
すなわちチャネルアダプタ１３は、まず、ジャーナルボリューム管理テーブル１８の「最初ジャーナル識別情報」フィールド１８Ｇ及び「最後ジャーナル識別情報」フィールド１８Ｈにそれぞれ格納された情報に基づいて、指定された時刻まで業務ボリュームを回復させるために必要なジャーナルを保存しているジャーナルボリューム及び当該ジャーナルボリュームが設けられたストレージ装置を検索する（ＳＰ３０）。
【００７７】
そしてチャネルアダプタ１３は、ディスクアダプタ１７を介してステップＳＰ３０において検出したジャーナルボリュームを提供する各ディスクデバイス１０の電源をオンさせる（ＳＰ３１）。またチャネルアダプタ１３は、この後、ジャーナルボリューム管理テーブル１８における対応する各エントリの「ステータス情報」フィールド１８Ｉに格納されたステータス情報をそれぞれ「Ready」に変更する。
【００７８】
続いてチャネルアダプタ１３は、システム管理者により指定された時刻の業務ボリュームを回復させるために必要なジャーナルデータを、ステップＳＰ３０において検出したジャーナルボリュームから読み出す（ＳＰ３２）。
【００７９】
そしてチャネルアダプタ１３は、この読み出したジャーナルデータと、予めバックアップボリュームに格納されている業務ボリュームのある時点のデータイメージとに基づいて、指定された時刻の業務ボリュームのデータイメージを作成すると共に、この作成したデータイメージを、ストレージ装置４内のいずれかの論理ボリュームＶＯＬに格納する（ＳＰ３３）。
【００８０】
次いでチャネルアダプタ１３は、サーバ装置２に対し、それまで提供していた業務ボリュームに代えて、かかるシステム管理者により指定された時刻の業務ボリュームのデータイメージが格納された論理ボリュームＶＯＬを提示する（ＳＰ３４）。これによりユーザは、この後、その業務ボリュームにおけるシステム管理者が指定した時刻にまで回復した業務ボリュームを利用できるようになる。そしてチャネルアダプタ１３は、この後このデータ回復処理を終了する。
【００８１】
（１−３）本実施の形態の効果
以上のように本実施の形態による記憶システム１では、ジャーナルをジャーナル保存先ボリュームに順次保存し、当該ジャーナル保存先ボリュームにおけるジャーナル保存量が閾値に達した段階で次のジャーナル保存先ボリュームとなるジャーナルボリュームを提供するディスクデバイス１０の電源をオンすると共に、ジャーナルの保存先を切り替えるタイミングで前のジャーナル保存先ボリュームを提供するディスクデバイス１０の電源をオフするようにしているため、各ジャーナルボリュームに対する閾値の設定という簡易な設定を行うだけで必要時にのみディスクデバイス１０を駆動させることができ、煩雑な設定を必要とすることなく消費電力を低減することができる。
【００８２】
（２）第２の実施の形態
（２−１）第２の実施の形態による記憶システムの構成
図１との対応部分に同一符号を付して示す図８は、第２の実施の形態による記憶システム２０を示す。この記憶システム２０は、サーバ装置２が第１のネットワーク２１を介してストレージ装置２２に接続されると共に、このストレージ装置２２が第２のネットワーク２３を介して複数の外部ストレージ装置２４と接続され、管理装置５が第１及び第２のネットワーク２１，２３を介してストレージ装置２２及び外部ストレージ装置２４とそれぞれ接続されることにより構成されている。
【００８３】
ストレージ装置２２は、自ストレージ装置及び各外部ストレージ装置２４が提供する記憶領域を仮想化する仮想化機能と、後述のように外部ストレージ装置２４に対する電源制御処理を行う電源制御機能とを有するもので、共有メモリ１５に格納されたデータ保護プログラム２５の構成が異なる点を除いて第１の実施の形態におけるストレージ装置４（図１）と同様の構成を有する。ここで、「仮想化」とは、自ストレージ装置及び各外部ストレージ装置２４が提供する記憶領域があたかも自ストレージ装置内に連続する１つの領域として存在するかのごとくサーバ装置２に提示することをいう。
【００８４】
ただし、この実施の形態のストレージ装置２２においては、ディスクデバイス１０として、例えばＦＣディスク等の高価なディスクドライブが適用される。また、この実施の形態の場合、ストレージ装置２２の共有メモリ１５に格納されたジャーナルボリューム管理テーブル１８には、当該ストレージ装置２２及び各外部ストレージ装置２４がそれぞれ提供する記憶領域を仮想化してなる仮想空間内に存在する論理ボリュームＶＯＬのうち、ジャーナルボリュームに設定された論理ボリュームＶＯＬが登録される。
【００８５】
外部ストレージ装置２４は、コントローラ２７が上述の仮想化機能及び電源制御機能を有しない点を除いてストレージ装置２２とほぼ同様の構成を有する。ただし、外部ストレージ装置２４においては、それぞれディスクデバイス１０としてＦＣディスクのみでなく、ＦＡＴＡディスク又はＳＡＴＡディスク又は光ディスクドライブ等の安価なディスクドライブが適用される。そしてこれら外部ストレージ装置２４内にも１又は複数の論理ボリュームＶＯＬが作成され、その一部又は全部がストレージ装置２２において作成された後述のジャーナルデータを保存するためのジャーナルボリュームとして利用される。
【００８６】
また第１及び第２のネットワーク２１，２３としては、第１の実施の形態による記憶システム１のネットワーク３（図１）と同様にＳＡＮ等が適用される。
【００８７】
（２−２）本実施の形態の記憶システムにおける電源制御機能
次に、本実施の形態による記憶システム２０に適用された電源制御機能について説明する。この記憶システム２０は、ストレージ装置２２内の業務ボリュームの更新履歴を表すジャーナルを、ストレージ装置２２内のジャーナル保存先ボリュームに一時的に保存し、その後このジャーナルをコストの低い外部ストレージ装置に移動させる一方、かかるジャーナルの移動に伴って外部ストレージ装置２４内の対応するディスクデバイス１０の電源を制御する点を特徴の１つとしている。
【００８８】
実際上、この記憶システム２０の場合、ストレージ装置２２は、図９（Ａ）のようにジャーナルの保存先を次のジャーナル保存先ボリュームに切り替えたタイミングで、図９（Ｂ）のように、外部ストレージ装置２４内のジャーナルの移動先となるジャーナルボリューム（以下、これをジャーナル移動先ボリュームと呼ぶ）を提供するディスクデバイス１０の電源をオンさせる。
【００８９】
そしてストレージ装置２２は、この後図９（Ｃ）に示すように、元のジャーナル保存先ボリュームに保存されているジャーナルをそのジャーナル移動先ボリュームに移動させ、当該移動が完了した段階で、当該ジャーナル移動先ボリュームを提供するディスクデバイス１０の電源をオフさせる。
【００９０】
またストレージ装置２２は、この後図９（Ｄ）に示すように、再びジャーナルの保存先を次のジャーナルボリュームに切り替えたタイミングで次のジャーナル移動先ボリュームを提供するディスクデバイス１０の電源をオンさせ、この後図９（Ｃ）及び図９（Ｄ）について上述した処理を繰り返す。
【００９１】
そしてこの記憶システム２０では、このような外部ストレージ装置２４のディスクデバイス１０の電源制御を行うことで、ジャーナルを安価に保存することを可能としながら、システム全体としての消費電力を低減させ得るようになされている。
【００９２】
図１０は、このような外部ストレージ装置２４の電源制御処理に関するストレージ装置２２内のチャネルアダプタ１３の処理内容を示すフローチャートである。この図１０において、左側の破線で囲まれた部分の処理は、データ保護プログラム２５を構成するジャーナル作成プログラム２５Ａ（図４）に基づいて行われ、右側の破線で囲まれた部分の処理は、ジャーナル保存プログラム２５Ｂ（図４）に基づいて行われる。
【００９３】
そして、かかるチャネルアダプタ１３は、図６について上述したジャーナル作成及び保存処理のステップＳＰ１０においてジャーナル保存先ボリュームをストレージ装置２２内の他のジャーナルボリュームに切り替えると、かかるジャーナル作成及び保存処理と並行してこの外部ストレージ電源制御処理を開始し、まずジャーナルの保存先をストレージ装置２２内の次のジャーナル保存先ボリュームに切り替る（ＳＰ４０）。
【００９４】
続いてチャネルアダプタ１３は、切り替え前のジャーナル保存先ボリュームに保存されているジャーナルを外部ストレージ装置２４に移動させるべき旨の指示（以下、これをジャーナル移動指示と呼ぶ）をジャーナル保存プログラム２５Ｂに与える（ＳＰ４１）。
【００９５】
そしてチャネルアダプタ１３は、このジャーナル作成プログラム２５Ａからのジャーナル移動指示を受領すると（ＳＰ４２）、ジャーナル移動先ボリュームとして、ジャーナルボリューム管理テーブル１８（図３）に登録されたジャーナルボリュームの中から、いずれかの外部ストレージ装置２４内に設けられたジャーナルボリュームを１つ選択する（ＳＰ４３）。この場合におけるジャーナル移動先ボリュームの選択方法として、ジャーナルボリューム管理テーブル１８に登録された、外部ストレージ装置２４内のジャーナルボリュームのうちのエントリ番号が小さいものを順番に選択する方法を適用することができる。
【００９６】
続いてチャネルアダプタ１３は、ジャーナルボリューム管理テーブル１８の対応する「ステータス情報」フィールド１８Ｉに格納されたステータス情報に基づいて、ステップＳＰ４３において選択したジャーナル移動先ボリュームを提供するディスクデバイス１０の電源がオンされているか否かを判断する（ＳＰ４４）。
【００９７】
チャネルアダプタ１３は、この判断において肯定結果を得ると、対応する外部ストレージ装置２４を制御することにより、前のジャーナル保存先ボリュームに格納されたジャーナルを、ステップＳＰ４３においてジャーナル移動先ボリュームとして選択したジャーナルボリュームに移動させる（ＳＰ４７）。
【００９８】
これに対してチャネルアダプタ１３は、かかる判断において否定結果を得ると、ジャーナル移動先ボリュームを提供するディスクデバイス１０の電源をオンすべき旨の電源オン指示を、このジャーナル移動先ボリュームを保持する外部ストレージ装置２４に与える（ＳＰ４５）。
【００９９】
そしてチャネルアダプタ１３は、この後、かかる電源オン指示に対するその外部ストレージ装置２４からの応答に基づいて、かかるジャーナル移動先ボリュームを提供するディスクデバイス１０の電源がオンとなったか否かを判断する（ＳＰ４６）。
【０１００】
チャネルアダプタ１３は、この判断において否定結果を得るとステップＳＰ４４に戻り、この後ジャーナル移動先ボリュームとするジャーナルボリュームの候補を外部ボリューム装置２４内の他のジャーナルボリュームに順次切り替えながら、ジャーナル移動先ボリュームとなり得るジャーナルボリュームを提供するディスクデバイス１０の電源がオンとなるまで、同様の処理を繰り返す（ＳＰ４４〜ＳＰ４６−ＳＰ４４）。
【０１０１】
これに対してチャネルアダプタ１３は、ステップＳＰ４６の判断において肯定結果を得ると、ジャーナルボリューム管理テーブル１８の対応する「ステータス情報」フィールド１８Ｉに格納されたステータス情報を「Ready」に更新し、この後、対応する外部ストレージ装置２４を制御することにより、前のジャーナル保存先ボリュームに格納されたジャーナルをジャーナル移動先ボリュームに移動させる（ＳＰ４７）。
【０１０２】
そしてチャネルアダプタ１３は、かかるジャーナルの移動が完了すると、ジャーナル移動先ボリュームを保持する外部ストレージ装置２４に対して、当該ジャーナル移動先ボリュームを提供するディスクデバイス１０の電源をオフすべき旨の電源オフ指示を与える（ＳＰ４８）。またチャネルアダプタ１３は、これと並行して、ジャーナルボリューム管理テーブル１８の対応する「ステータス情報」フィールド１８Ｉに格納されたステータス情報を「Not Ready」に更新する。
【０１０３】
この後チャネルアダプタ１３は、ジャーナルの移動が完了した旨のジャーナル移動完了報告をジャーナル作成プログラム２５Ａに送信する（ＳＰ４９）。そしてチャネルアダプタ１３は、このジャーナル保存プログラム２５Ｂからのジャーナル移動完了報告を受領すると、この電源制御処理を終了する。
【０１０４】
（２−３）本実施の形態の効果
以上のようにこの記憶システム２０では、ストレージ装置２２内の高コストのジャーナル保存先ボリュームに保存されたジャーナルを外部ストレージ装置２４内の低コストのジャーナル移動先ボリュームに移動させる一方、このときにジャーナル保存先ボリュームにおけるジャーナルの蓄積量に応じてジャーナル移動先ボリュームを提供するディスクデバイス１０の電源を制御するようにしているため、ジャーナルの保有コストを抑えながら、ジャーナルの保有に必要な消費電力を抑えることができる。
【０１０５】
（３）第３の実施の形態
図６について上述したデータ作成及び保存処理のステップＳＰ８の判断において肯定結果を得られなかった場合、このデータ作成及び保存処理が終了するため、その後に作成されたジャーナルは保存されない。このようにジャーナル保存先ボリュームの切り替えができなくなる原因としては、例えばストレージ装置４における次のジャーナル保存先ボリュームの候補であったジャーナルボリュームを提供するディスクデバイス１０の電源が故障等によりオンできない場合や、ストレージ装置４（図１）内すべてのジャーナルボリュームを使い果たしてしまった場合などが挙げられる。
【０１０６】
この場合、ジャーナル作成及び保存処理を継続するためには、そのとき対応するディスクデバイス１０の電源がオンされている前のジャーナル保存先ボリュームをそのまま再利用して、新たに作成されたジャーナルを当該前のジャーナル保存先ボリュームに順次上書きして保存する方法が考えられる。
【０１０７】
しかしながら、この方法によると、新たなジャーナルの上書きによって古いジャーナルが消滅するために保存しているジャーナルの時間的な連続性が失われ、当該上書きを開始した時点以降の業務ボリュームを正確に再現することができなくなる場合があるという問題がある。
【０１０８】
そこで、第３の実施の形態では、図８に示すシステム構成の記憶システム３０において、例えば図１１（Ａ）に示すように、ストレージ装置３１においてジャーナルの保存先を次のジャーナル保存先ボリュームに切り替えられなかったかった場合（図６のステップＳＰ８参照）には、図１１（Ｂ）に示すように、その時点の業務ボリューム（ＰＶＯＬ）のスナップショット（ＳＳ）を作成し、これを外部ストレージ装置２４内に保存した上で、新たなジャーナルを現在のジャーナル保存先ボリュームに上書きするようにする。
【０１０９】
そしてこの方法によれば、図１２（Ａ）に示すように、ある時刻ｔ１において取得したスナップショット（ＳＳ）のデータと、その後にジャーナル保存先ボリューム（ＪＮＬＶＯＬ）に格納されたジャーナルとを利用することで、時刻ｔ１から現在までの間の任意の時刻の業務ボリュームのデータイメージ（ＰＶＯＬ′）を作成することができ、また上書きにより古いジャーナルが消失した場合においても、図１２（Ｂ）に示すように、スナップショットを継続して保持しておくことによって、当該スナップショットを作成した時刻ｔ１における業務ボリュームのデータイメージを提供することが可能となる。
【０１１０】
図１３は、このようなジャーナル保存処理を含めたデータ作成及び保存処理に関するストレージ装置３１内のチャネルアダプタ１３の処理内容を示すフローチャートである。この図１３において、左側の破線で囲まれた部分の処理は、第３の実施の形態によるデータ保護プログラム３２（図４及び図８）を構成するジャーナル作成プログラム３２Ａ（図４）に基づいて行われ、右側の破線で囲まれた部分の処理は、当該ジャーナル作成プログラム３２Ａ及びデータイメージ提供プログラム１９Ｃ（図４）と共にかかるデータ保護プログラム３２を構成するジャーナル保存プログラム３２Ｂ（図４）に基づいて行われる。
【０１１１】
実際上、かかるチャネルアダプタ１３は、このデータ作成及び保存処理のステップＳＰ６０〜ステップＳＰ６６を、図６について上述したデータ作成及び保存処理のステップＳＰ１〜ステップＳＰ７と同様に処理する。
【０１１２】
そしてチャネルアダプタ１３は、ステップＳＰ６５の判断において肯定結果を得ると、ディスクアダプタ１７にアクセスして、次のジャーナル移動先ボリュームの候補であるジャーナルボリュームを提供するディスクデバイス１０の電源がオンとなっているか否かを判断する（ＳＰ６８）。
【０１１３】
チャネルアダプタ１３は、この判断において肯定結果を得ると、ジャーナルの保存先を当該次のジャーナル保存先ボリュームに切り替える（ＳＰ６９）。またチャネルアダプタ１３は、その後ジャーナルボリューム管理テーブル１８に基づいて、外部ストレージ装置２４内に設けられたジャーナルボリュームの中からジャーナル移動先ボリュームを選択し、前のジャーナル保存先ボリュームに格納されているジャーナルをこのジャーナル移動先ボリュームに移動させる（ＳＰ７０）。
【０１１４】
そしてチャネルアダプタ１３は、かかるジャーナルの移動が完了すると、ジャーナル移動先ボリュームを提供するディスクデバイス１０の電源をオフすべき旨の電源オフ指示を、対応する外部ストレージ装置２４に送信し（ＳＰ７１）、この後ステップＳＰ７７に進む。
【０１１５】
これに対してチャネルアダプタ１３は、ステップＳＰ６８の判断において否定結果を得ると、次のジャーナル保存先ボリュームの候補となっているジャーナルボリュームを提供するディスクデバイス１０の電源をオンすべき電源オン指示をディスクアダプタ１７に与え（ＳＰ７２）、その後これに対するディスクアダプタ１７からの応答に基づいて、かかるディスクデバイス１０の電源がオンとなったか否かを判断する（ＳＰ７３）。
【０１１６】
そしてチャネルアダプタ１３は、この判断において肯定結果を得るとジャーナルの保存先を当該次のジャーナル保存先ボリュームに切り替え、これに対して否定結果を得ると、リトライ回数が既定回数を超えたか否かを判断する（ＳＰ７４）。そしてチャネルアダプタ１３は、この判断において否定結果を得ると、対応するディスクデバイス１０の電源がオンとなるか又はリトライ回数が既定回数を超えるまで、ステップＳＰ７２〜ステップＳＰ７４の処理を繰り返す。
【０１１７】
チャネルアダプタ１３は、やがてかかるリトライ回数が既定回数を超えたときには、いずれかの外部ストレージ装置２４に対してそのときの業務ボリュームのスナップショットを作成すべき旨の指示（以下、これをスナップショット作成指示と呼ぶ）を送信し（ＳＰ７５）、この後、ステップＳＰ６３において作成したジャーナルを現在のジャーナル保存先ボリュームに上書き保存した後（ＳＰ７６）、これに応じてジャーナルボリューム管理テーブル１８を更新する。
【０１１８】
チャネルアダプタ１３は、この後ステップＳＰ７７〜ステップＳＰ８４を、図６について上述したジャーナル作成及び保存処理のステップＳＰ１２〜ステップＳＰ２０と同様に処理し、この後このデータ作成及び保存処理を終了する。
【０１１９】
以上のようにこの記憶システム３０では、スナップショットを利用してストレージ装置３１内のジャーナル保存先ボリュームを再利用できるようにしているため、ストレージ装置３１内の次にジャーナル保存先ボリュームとして定められたジャーナルボリュームに障害が発生した場合においても、実用上十分に対応することができる。かくするにつき、信頼性の高い記憶システムを構築することができる。
【０１２０】
（４）第４の実施の形態
第２の実施の形態による記憶システム２０では、ジャーナル保存先ボリュームに保存されたジャーナルをジャーナル移動先ボリュームに移動させる際に、その直前でジャーナル移動先ボリュームを提供するディスクデバイス１０の電源をオンし、当該ジャーナルの移動が完了した段階で直ちに当該ディスクデバイス１０の電源をオフさせるようにしている。しかしながら、一旦、ディスクデバイス１０の電源をオフすると、当該ディスクデバイス１０の電源をオンにして、当該ディスクデバイス１０がデータを書き込み可能なレディ状態になるまでに相当の時間を要することとなる。
【０１２１】
一方、上述のデータ保護方式であるＣＤＰには、過去のある時点の業務ボリュームのデータイメージを保持しておき、このデータイメージに業務ボリュームの更新履歴のジャーナルを古いものから順番に上書きすることにより、任意時点までデータイメージを更新して業務ボリュームを回復する第１のデータ保護方法と、サーバ装置からのユーザデータにより業務ボリュームが更新される際に、更新前の業務ボリュームのデータをジャーナルとして保存しておき、このジャーナルを最新のものから順番に現在の業務ボリュームに順次上書きすることにより、任意時点まで業務ボリュームをロールバックして業務ボリュームを回復する第２のデータ保護方式とがある。
【０１２２】
そして第２のデータ保護方式では、所望時点の業務ボリュームのデータイメージを回復する際には、外部ストレージ装置内に設けられたジャーナルボリュームのうち、最新のジャーナルが保存されたジャーナルボリュームから順番にジャーナルボリュームを読み出すこととなる。
【０１２３】
従って、このような第２のデータ保護方式を第２の記憶システム２０に適用する場合、外部ストレージ装置２４内に設けられたジャーナルボリュームのうち、より最新のジャーナルが保存されたジャーナルボリュームほど直にアクセスできる状態にしておけば、迅速に指定時刻の業務ボリュームを回復することが可能となる。
【０１２４】
そこで、本実施の形態による記憶システム４０（図８）では、データ保護方式として、上述の第２のデータ保護方式を採用する。そして、この記憶システム４０では、ジャーナル保存先ボリュームに保存されたジャーナルのジャーナル移動先ボリュームへの移動が完了した段階でそのジャーナル移動先ボリュームを提供するディスクデバイス１０を節電モードに遷移させる。ここで節電モードとは、例えばディスクの回転数を落とすことにより通常のレディ状態のときよりも電力消費量を低減させながら、直ちにレディ状態に復帰できる動作モードをいう。この後、ストレージ装置２４において、ジャーナルの保存先を次のジャーナル保存先ボリュームに切り替えた段階でかかる節電モードとなっているジャーナルボリュームを提供するディスクデバイス１０の電源をオフするようにする。
【０１２５】
例えば、図１４（Ａ）に示すように、本実施の形態によるストレージ装置４１内にジャーナルボリューム１Ａ及びジャーナルボリューム２が設けられており、これらジャーナルボリューム１及びジャーナルボリューム２が順次交互にジャーナル保存先ボリュームとして用いられるものとする。また外部ストレージ装置２４内にジャーナルボリュームＡ、ジャーナルボリュームＢ、ジャーナルボリュームＣ、……が設けられ、これらがこの順番でジャーナル移動先ボリュームとして用いられるものとする。
【０１２６】
この場合において、まず、ジャーナル保存先ボリュームに設定されたジャーナルボリューム１のジャーナル保存量が閾値に達すると、外部ストレージ装置２４内のジャーナルボリュームＡを提供するディスクデバイス１０の電源をオンにする。
【０１２７】
また、図１４（Ｂ）に示すように、その後ジャーナルの保存先が次のジャーナル保存先ボリュームであるジャーナルボリューム２に切り替わった段階で、前のジャーナル保存先ボリュームであるジャーナルボリューム１に蓄えられたジャーナルを、ジャーナルボリュームＡに移動させる。また、現在のジャーナル保存先ボリュームであるジャーナルボリューム２のジャーナル保存量が閾値に達した段階で、次のジャーナル移動先ボリュームであるジャーナルボリュームＢを提供するディスクデバイス１０の電源をオンにする。
【０１２８】
その後、図１４（Ｃ）に示すように、ジャーナルボリューム１からジャーナルボリュームＡへのジャーナルの移動が完了した段階で、ジャーナルボリュームＡを提供するディスクデバイス１０を節電モードに遷移させる一方、ジャーナル保存先ボリュームが再びジャーナルボリューム１に切り替わった段階で、前のジャーナル保存先ボリュームであるジャーナルボリューム２に保存されたジャーナルを、現在のジャーナル移動ボリュームであるジャーナルボリュームＢに移動させる。また、現在のジャーナル保存先ボリュームであるジャーナルボリューム２のジャーナル保存量が閾値に達した段階で、次のジャーナル移動先ボリュームであるジャーナルボリュームＣを提供するディスクデバイス１０の電源をオンにする。
【０１２９】
次いで、図１４（Ｄ）に示すように、ジャーナルボリューム２からジャーナルボリュームＢへのジャーナルの移動が完了した段階で、ジャーナルボリュームＢを提供するディスクデバイス１０を節電モードに遷移させる一方、これと並行してジャーナルボリュームＢの１つ前のジャーナル移動先ボリュームであるジャーナルボリュームＡを提供するディスクデバイス１０の電源をオフにする。
【０１３０】
その後、ジャーナル保存先ボリュームであるジャーナルボリューム１におけるジャーナル保存量が閾値に達した段階で、次のジャーナル移動先ボリュームとなるジャーナルボリュームＣの電源をオンにする。また、この後ジャーナルの保存先をジャーナルボリューム２に切り替えられた段階で、前のジャーナル保存先ボリュームであるジャーナルボリューム１に保存されたジャーナルを、ジャーナルボリュームＣに移動させる。そして、この後は図１４（Ｃ）及び図１４（Ｄ）について上述した処理を繰り返す。
【０１３１】
そして、この記憶システム４０では、このようにして外部ストレージ装置２４の電源を制御することにより、迅速に所望時点の業務ボリュームを回復できるようにしながら、消費電力の低減を図ることができるようになされている。
【０１３２】
図１５は、このような外部ストレージ装置２４の電源制御に関するストレージ装置４０内のチャネルアダプタ１３の処理内容を示すフローチャートである。この図１５において、左側の破線で囲まれた部分の処理は、第４の実施の形態によるデータ保護プログラム４２（図４及び図８）を構成するジャーナル作成プログラム４２Ａ（図４）に基づいて行われ、右側の破線で囲まれた部分の処理は、当該ジャーナル作成プログラム４２Ａ及びデータイメージ提供プログラム１９Ｃ（図４）と共にかかるデータ保護プログラム３２を構成するジャーナル保存プログラム４２Ｂ（図４）に基づいて行われる。
【０１３３】
実際上、ストレージ装置４１のチャネルアダプタ１３は、このデータ作成及び保存処理のステップＳＰ９０〜ステップＳＰ９７を、図１０について上述した外部ストレージ電源制御処理のステップＳＰ４０〜ステップＳＰ４７と同様に処理する。
【０１３４】
そして、チャネルアダプタ１３は、この後ジャーナル保存先ボリュームからジャーナル移動先ボリュームへのジャーナルの移動が完了したことを確認すると（ＳＰ９８）、当該ジャーナル移動先ボリュームを提供するディスクデバイス１０を節電モードにすべき旨の指示（節電モード遷移指示）を、当該ジャーナル移動先ボリュームが設けられた外部ストレージ装置２４に与える（ＳＰ９９）。
【０１３５】
またチャネルアダプタ１３は、そのとき節電モードとなっている１つ前のジャーナル移動先ボリュームを提供するディスクドライブ１０の電源をオフすべき旨の電源オフ指示を、当該ジャーナル移動先ボリュームが設けられた外部ストレージ装置２４に与える（ＳＰ１００）。
【０１３６】
そしてチャネルアダプタ１３は、この後ステップＳＰ１０１及びステップＳＰ１０２を、図１０について上述した外部ストレージ電源制御処理のステップＳＰ４９及びステップＳＰ５０と同様に処理し、この後この外部ストレージ電源制御処理を終了する。
【０１３７】
このようにこの記憶システムでは、ジャーナル保存先ボリュームのジャーナル保存量に基づいて、外部ストレージ装置の電源をオン、節電モード及びオフの３段階で制御するようにしているため、迅速に所望時点の業務ボリュームを回復できるようにしながら、消費電力の低減を図ることができる。
【０１３８】
（５）他の実施の形態
なお上述の第１〜第５の実施の形態においては、ジャーナルボリュームを提供する記憶デバイスとしてディスクデバイスを適用するようにした場合について述べたが、本発明はこれに限らず、例えば半導体メモリなど、ディスクデバイス以外の記憶デバイスを適用するようにしても良い。
【０１３９】
また上述の第１の実施の形態においては、ジャーナルの保存先がストレージ装置４内のジャーナルボリュームである場合について述べたが、本発明はこれに限らず、ジャーナルの保存先が外部記憶装置である場合にも本発明を適用することができる。この場合には、外部記憶装置又は当該外部記憶装置内のジャーナルボリュームを提供するディスクデバイスのジャーナル保存量に応じて、外部記憶装置や当該デバイスの電源制御を行うようにすれば良い。
【０１４０】
同様に、上述の第２〜第４の実施の形態においては、ジャーナルボリュームを提供するディスクデバイス１０を単位として外部ストレージ装置２４の電源制御を行うようにした場合について述べたが、本発明はこれに限らず、例えば第２〜第４の実施の形態において用いた外部ストレージ装置２４の電源制御方法を用いて、外部ストレージ装置２４の装置全体の電源をもオン／オフ制御するようにしても良い。
【０１４１】
さらに上述の第１〜第４実施の形態においては、初期段階においてジャーナル保存先ボリューム又はジャーナル移動先ボリューム以外のジャーナルボリュームを提供するディスクデバイス１０の電源を一律にオフさせるようにした場合について述べたが、本発明はこれに限らず、例えば暫くアクセスがないと予想されるジャーナルボリュームやジャーナルボリュームを提供するディスクデバイス１０や外部ストレージ装置２４の電源をオフするようにしても良い。
【０１４２】
この場合、アクセスの有無の予想方法としては、そのジャーナルボリューム又は外部ストレージ装置２４が保持するジャーナルの古さ（例えば、一番古いジャーナルデータに対しては暫くアクセスがないと考えられる）や、スナップショットの取得により不要となったジャーナルデータを保持しているか否か、そのジャーナルボリュームが現在のジャーナル保存先ボリューム又はジャーナル移動先ボリュームを提供するＲＡＩＤグループと同じＲＡＩＤグループにより提供されているか否かなどを判断基準として使用する方法を適用することができる。
【０１４３】
さらに上述の第１〜第４の実施の形態においては、次のジャーナル保存先ボリュームやジャーナル移動先ボリュームを選択する選択方法として、ジャーナルボリューム管理テーブル１８へのエントリ番号の小さい順に選択する方法を適用するようにした場合について述べたが、本発明はこれに限らず、この他種々の選択方法を広く適用することができる。例えば高性能のディスクデバイス１０が提供するジャーナルボリュームを優先する方法や、現在の要となったジャーナルデータを保持しているか否か、そのジャーナルボリュームが現在のジャーナル保存先ボリューム又はジャーナル移動先ボリュームを提供するＲＡＩＤグループと同じＲＡＩＤグループにより提供されているジャーナルボリュームを優先する方法などを適用するようにしても良い。
【０１４４】
さらに上述の第３の実施の形態においては、ジャーナルの保存先を次のジャーナル保存先ボリュームに切り替えられなかった場合に、その時点の業務ボリュームのスナップショットを作成するようにした場合について述べたが、本発明はこれに限らず、例えばジャーナルの保存先を次のジャーナル保存先ボリュームや次の外部ストレージ装置２４に切り替える際に、ジャーナル保存先ボリュームのスナップショットを常に作成若しくは当該スナップショットの作成を指示し、又はジャーナルの保存量が、ジャーナル保存先ボリューム又は外部ストレージ装置に対して予め設定された閾値を超えたときに、ジャーナル保存先ボリュームのスナップショットを作成若しくは当該スナップショットの作成を指示するようにしても良い。
【図面の簡単な説明】
【０１４５】
【図１】第１の実施の形態による記憶システムの全体構成を示すブロック図である。
【図２】（Ａ）‐（Ｂ）は、データ保護方式の説明に供する概念図である。
【図３】ジャーナルボリューム管理テーブルの説明に供する概念図である。
【図４】データ保護プログラムの説明に供する概念図である。
【図５】（Ａ）‐（Ｃ）は、第１の実施の形態によるデータ作成及び保存処理の説明に供する概念図である。
【図６】第１の実施の形態によるデータ作成及び保存処理の説明に供するフローチャートである。
【図７】データ回復処理の説明に供するフローチャートである。
【図８】第２〜第４の実施の形態による記憶システムの全体構成を示すブロック図である。
【図９】（Ａ）‐（Ｄ）は、第１の実施の形態によるデータ作成及び保存処理の説明に供する概念図である。
【図１０】第２の実施の形態による外部ストレージ電源制御処理の説明に供するフローチャートである。
【図１１】（Ａ）‐（Ｂ）は、第３の実施の形態によるデータ作成及び保存処理の説明に供する概念図である。
【図１２】（Ａ）‐（Ｂ）は、第３の実施の形態によるデータ作成及び保存処理の説明に供する概念図である。
【図１３】第３の実施の形態による外部ストレージ電源制御処理の説明に供するフローチャートである。
【図１４】（Ａ）‐（Ｄ）は、第４の実施の形態によるデータ作成及び保存処理の説明に供する概念図である。
【図１５】第４の実施の形態による外部ストレージ電源制御処理の説明に供するフローチャートである。
【符号の説明】
【０１４６】
１，２０，３０，４０……記憶システム、２……サーバ装置、４，２２，３１，４１……ストレージ装置、５……管理装置、１０……ディスクデバイス、１２……コントローラ、１３……チャネルアダプタ、１５……共有メモリ、１８……ジャーナルボリューム管理テーブル、１９，２５，３２，４２……データ保護プログラム、１９Ａ，２５Ａ，３２Ａ，４２Ａ……ジャーナル作成プログラム、１９Ｂ，２５Ｂ，３２Ｂ，４２Ｂ……ジャーナル保存プログラム、１９Ｃ……データイメージ提供プログラム、２４……外部ストレージ装置。
【図１】
2007265002.tif 000003
【図２】
2007265002.tif 000004
【図３】
2007265002.tif 000005
【図４】
2007265002.tif 000006
【図５】
2007265002.tif 000007
【図６】
2007265002.tif 000008
【図７】
2007265002.tif 000009
【図８】
2007265002.tif 000010
【図９】
2007265002.tif 000011
【図１０】
2007265002.tif 000012
【図１１】
2007265002.tif 000013
【図１２】
2007265002.tif 000014
【図１３】
2007265002.tif 000015
【図１４】
2007265002.tif 000016
【図１５】
2007265002.tif 000017